(57)【特許請求の範囲】
【請求項１】
歌唱消去手段と、第１選択手段と、第２選択手段と、第３選択手段と、検出手段と、制御手段と、マイコンとを備え、左右音声信号が入力されるオーディオ装置であって、
歌唱消去手段は、入力される左右音声信号から歌唱成分を消去した歌唱無音声信号を出力し、
第１選択手段は、左右音声信号、右音声信号、左音声信号のいずれかをマイコンの制御に従って出力し、
第２選択手段は、歌唱無音声信号、右音声信号、左音声信号のいずれかをマイコンの制御に従って出力し、
第３選択手段は、制御信号が入力されない場合は、第２選択手段の出力を、制御信号が入力される場合は、第１選択手段の出力を選択的に出力し、
検出手段は、マイクロフォンからの音声信号が規定値よりも小さいときに検出信号を出力し、
制御手段は、マイコンからの選択信号と、検出手段からの検出信号の両信号が検知される場合には、制御信号を第３選択手段に出力し、
マイコンは、操作者による選択指令に従って第１−３何れかのモードを取ると共に、当該モードにおいて、操作者によるボーカルアシスト指令がある場合には、制御手段に選択信号を出力し、
第１モードは、第１選択手段に左右音声信号を、第２選択手段に歌唱無音声信号を出力させ、
第２モードは、第１選択手段に左音声信号を、第２選択手段に右音声信号を出力させ、
第３モードは、第１選択手段に右音声信号を、第２選択手段に左音声信号を出力させる
オーディオ装置。
【請求項２】
マイコンは、操作者による選択指令に従って第４モードも取り、
第４モードは、第１選択手段に左右音声信号を、第３選択手段に第１選択手段の出力を出力させる
請求項１に記載のオーディオ装置。
【発明の詳細な説明】
【０００１】
【産業上の利用分野】
本発明は、オーディオ装置、特にカラオケを行うのに好適なオーディオ装置に関する。
【０００２】
【従来の技術】
アメリカ合衆国において「ミュージック・マイナス・ワン」と称してクラッシック音楽の協奏曲や歌曲の練習用に発生した「カラオケ」は、日本において通俗歌謡曲の娯楽的歌唱用に著しい発展を遂げできた。それに伴い、「カラオケ」は、合衆国に逆輸入されたのをはじめ、アジアやヨーロッパの諸国などにもその普及を急激に進めている。このような普及を受けて、各メーカーは、「カラオケ」用途のオーディオ装置に対するさまざまな機能の開発を進めている。
【０００３】
そのような一例として、以下に、従来のオーディオ装置について説明する。図２はこの従来のオーディオ装置の主要部のブロック略図を示すものである。図２において、１および２は外部からの左チャネルの音声信号を受ける左入力端子、および右チャネルの音声信号を受ける右入力端子である。３および４は左増幅器および右増幅器であり、左入力端子１および右入力端子２が受けた音声信号を増幅する。
【０００４】
５はマイクロフォン５ａからの歌唱信号を受けるマイク端子であり検知回路６に接続されている。７は制御入力端子であり、論理回路８に接続されている。９は歌唱消去回路である。
【０００５】
１０はスイッチであり、論理回路８の出力する３値の制御信号Ｓｃによって制御され、信号Ｓｃが高電圧レベル（以下「Ｈ」と略す）のときにはＡ端子およびＤ端子を選択し、中電圧レベル（以下「Ｍ」と略す）のときにはＢ端子およびＥ端子を選択し、また低電圧レベル（以下「Ｌ」と略す）のときにはＣ端子およびＦ端子を選択する。１１及び１２は、左バッファ回路および右バッファ回路である。１３および１４は左出力端子及び右出力端子であり、この後、図示しないが、例えばマイクロフォン５ａの出力と左右の音声信号のミキシング回路およびパワーアンプを介してスピーカに至って、音として出力される。１５は順序回路であり、操作ボタン１５ａ、１５ｂおよび１５ｃによって制御される。
【０００６】
以上のように構成された、従来のオーディオ装置について以下にその動作を説明する。左入力端子１および右入力端子２にはレーザ・ディスク・プレーヤ、コンパクト・ディスク・プレーヤあるいはビデオ・カセット・レコーダなどのステレオ音声出力が接続される。
【０００７】
左右の音声信号はそれぞれ左増幅器３および右増幅器４を介して左信号Ｓｌおよび右信号Ｓｒとして出力される。左信号Ｓｌは、スイッチ１０の端子Ａおよび端子Ｆに接続され、右信号Ｓｒは、端子Ｃおよび端子Ｄに接続される。これとともにこれら信号ＳｌおよびＳｒは、歌唱消去回路９に送られ、歌唱消去回路９は、信号ＳｌとＳｒを１対１で減算し、左右に同相かつ同振幅で記録されている歌手の歌声を消去した伴奏信号Ｓｖｃとしてスイッチ１０の端子ＢおよびＤに入力される。
【０００８】
まず、通常の音楽再生においては、ボタン１５ａおよび１５ｂは押されておらず、制御信号ＳｃはＨである。これによって、スイッチ１０は端子ＡとＣに接続されており、左右の音声信号は単にスイッチ１０を中継するだけで、それぞれバッファ１１およびバッファ１２を介して左出力端子１３及び右出力端子１４から出力される。
【０００９】
次に使用者がこの装置でカラオケを楽しむ場合であるが、それには次の２種類が対応できる。第１の場合としては、いわゆる「音声多重カラオケ」（以下、「音多」と略す）を再生する場合であり、第２の場合としては、カラオケ以外の音源から歌手の歌を歌唱消去回路９を利用して、カラオケとする場合である。
【００１０】
第１の場合には、左チャネルに伴奏のみが、また右チャネルには伴奏と模範歌唱が記録されているので、使用者がボタン１５ａを押して、その選択が順序回路１５によって論理回路８によって送られ、制御信号ＳｃはＬとなってスイッチ１０は端子ＣおよびＦが選択される。これによって伴奏のみが左バッファ回路１１および右バッファ回路１２を介して左出力端子１３及び右出力端子１４から出力される。以下、これを「音多モード」と呼ぶ。
【００１１】
第２の場合には、ボタン１５ｂが押され、制御信号ＳｃはＭとなり、スイッチ１０は端子ＢおよびＥが選択される。これによって伴奏信号Ｓｖｃが左バッファ回路１１および右バッファ回路１２を介して左出力端子１３及び右出力端子１４から出力される。以下、これを「ＶＣモード」と呼ぶ。
【００１２】
以上が、普通に音楽再生やカラオケを楽しむ場合であるが、さらに付加機能として「ボーカル・アシスト・モード」（以下、「ＶＡモード」と略す）と呼ばれる機能が常備される。この機能は、カラオケ中に使用者が歌詞を忘れるなどして歌唱できなくなると、マイクロフォン５ａからの音声が途切れることを利用するものである。
【００１３】
即ち、マイクロフォン５ａからの入力レベルが所定のレベル以下になったことを検出回路６で検知し、検出信号Ｓｄを出力する。この検知信号Ｓｄは論理回路８に送られ、ＶＡモードを示すボタン１５ｃが押されている場合には、音多モードの場合には制御信号ＳｃをＬに、またＶＣモードの場合にはＨに強制的に切り換えるものである。
【００１４】
これにより、歌手の歌唱が入った音楽が、マイクロフォン５ａの音が途切れると、左出力端子１３および右出力端子１４から出力されることとなる。
【００１５】
【発明が解決しようとする課題】
しかしながら上記の従来の構成では、市場に存在するカラオケ音源のうち上記の音多と逆に右チャネルに伴奏のみが、左チャネルには伴奏と模範歌唱が記録されている通称「逆音多」と呼ばれる音源にはＶＡモードが対応できないという問題点がある。
【００１６】
また仮に使用者が、この逆音多を楽しむために、何らかの形で左入力端子１と右入力端子２の接続を反転できたとしても、カラオケ音源ごとにそのような端子の繋ぎ替えをするのでは、使い勝手が著しく低いものとなるという問題点がある。
【００１７】
本発明は上記の問題点を解決するもので、市場に存在する全てのカラオケ音源に対応し、かつ使用者に余分な手間をかけさせない、使い勝手の良いオーディオ装置を提供することを目的とする。
【００１８】
【課題を解決するための手段】
この目的を達成するために本発明のオーディオ装置は、歌唱消去手段と、第１選択手段と、第２選択手段と、第３選択手段と、検出手段と、制御手段と、マイコンとを備え、左右音声信号が入力されるオーディオ装置であって、歌唱消去手段は、入力される左右音声信号から歌唱成分を消去した歌唱無音声信号を出力し、第１選択手段は、左右音声信号、右音声信号、左音声信号のいずれかをマイコンの制御に従って出力し、第２選択手段は、歌唱無音声信号、右音声信号、左音声信号のいずれかをマイコンの制御に従って出力し、第３選択手段は、制御信号が入力されない場合は、第２選択手段の出力を、制御信号が入力される場合は、第１選択手段の出力を選択的に出力し、検出手段は、マイクロフォンからの音声信号が規定値よりも小さいときに検出信号を出力し、制御手段は、マイコンからの選択信号と、検出手段からの検出信号の両信号が検知される場合には、制御信号を第３選択手段に出力し、マイコンは、操作者による選択指令に従って第１−３何れかのモードを取ると共に、当該モードにおいて、操作者によるボーカルアシスト指令がある場合には、制御手段に選択信号を出力し、第１モードは、第１選択手段に左右音声信号を、第２選択手段に歌唱無音声信号を出力させ、第２モードは、第１選択手段に左音声信号を、第２選択手段に右音声信号を出力させ、第３モードは、第１選択手段に右音声信号を、第２選択手段に左音声信号を出力させる構成としている。
【００１９】
また、マイコンは、操作者による選択指令に従って第４モードも取り、第４モードは、第１選択手段に左右音声信号を、第３選択手段に第１選択手段の出力を出力させるものである。
【００２０】
【作用】
このような構成によると、使用者の指示によって、歌唱付きの音楽信号を選択する第１の選択手段とカラオケを行うための伴奏を選択する第２の選択手段とを独立に設け、それらの出力を、使用者がＶＡモードを選んだ時にはマイクロフォンの音声の有無によって第３の選択手段において自動的に歌唱付きの第１の選択手段の出力に切り換えることとなる。
【００２１】
【実施例】
以下、本発明の実施例について、図面を参照しながら説明する。図１は本発明の一実施例におけるオーディオ装置のブロック略図を示すものである。図１において、左入力端子１、右入力端子２、左増幅回路３、右増幅回路４、マイク入力端子５、検出回路６、歌唱消去回路９、左バッファ１１、右バッファ１２、左出力端子１３及び右出力端子１４は、図２に示した従来例におけるそれらと同一であるので、説明は省略する。
【００２２】
同図において、２０は第１のスイッチであり、第１の選択手段を構成している。２１は第２のスイッチであり、第２の選択手段を構成している。２２は第３のスイッチであり、第３の選択手段を構成している。これら第１のスイッチ２０および第２のスイッチ２１は、マイコン２４の出力する３値レベルの第１の制御信号Ｓｃ１および第２の制御信号Ｓｃ２によって直接制御される。第３のスイッチ２２は、第３の制御信号Ｓｃ３によって制御され、制御回路２３において検出回路６から検出信号Ｓｄが出力されると、第４の制御信号Ｓｃ４を出力する。
【００２３】
以上のように構成された本実施例のオーディオ装置について、以下にその動作について、使用者の操作する各操作モードに対応して説明する。
【００２４】
まず、通常の音楽再生を行う第１の操作モードであり、第１の操作ボタン２４ａ、第２の操作ボタン２４ｂ、第３の操作ボタン２４ｃ、第４の操作ボタン２４ｄおよび第５の操作ボタン２４ｅの全てが押されていない状態である。
【００２５】
このとき、第１の制御信号Ｓｃ１はＨであり、第１のスイッチ２０の接片は、ａ端子とｄ端子に接続され、その出力信号Ｓｌ１およびＳｒ１はそれぞれ左信号Ｓｌおよび右信号Ｓｒと同じである。また、第３の制御信号Ｓｃ３はＨであり、制御回路２３の出力する第４の制御信号Ｓｃ４はＨである。これによって第３のスイッチ２２は、ｊ端子およびｌ端子に接続され、その出力信号Ｓｌ２およびＳｒ２は、信号Ｓｌ１およびＳｒ１と同じである。これによって、結果的に左出力端子１３に送られる信号は左信号Ｓｌとなり、右出力端子１４に送られる信号は右信号Ｓｒとなる。
【００２６】
次は使用者がカラオケを行う場合であるが、このとき第１の操作ボタン２４ａが押され、第２の操作ボタン２４ｂ、第３の操作ボタン２４ｃ、第４の操作ボタン２４ｄおよび第５の操作ボタン２４ｅが操作可能となる。このとき、使用者は、ＶＣモードを指示する第２の操作ボタン２４ｂ、音多モードを指示する第３の操作ボタン２４ｃあるいは逆音多モードを指示する第４の操作ボタン２４ｄのいずれかを選択することになる。そして、これらの各モード中にＶＡモードを希望すれば、第５の操作ボタン２４ｅを押す。
【００２７】
さてまず、第２の操作ボタン２４ｂが押され、通常のコンパクト・ディスクなどの音源を用いたＶＣモードが指示された場合について説明する。このときには、第１の制御信号Ｓｃ１はＨのままであり、第１のスイッチ２０の出力は通常の音楽再生と同じである。一方、第２のスイッチ２１に送られる第２の制御信号Ｓｃ２は、Ｈであり、接片はｇ端子に接続される。これによって第２のスイッチ２１の出力信号Ｓｏは伴奏信号Ｓｖｃとなる。この信号Ｓｏは、第３のスイッチ２２のｋ端子およびｍ端子に入力される。
【００２８】
このとき、ＶＡモードを指示する第５の操作ボタン２４ｅが押されていないときには、第３の制御信号Ｓｃ３はＬとなり、第４の制御信号Ｓｃ４はＬとなる。これによって、第３のスイッチ２２の接片は、ｋ端子およびｍ端子に接続され、伴奏信号Ｓｖｃが左出力端子１３と右出力端子１４から出力されることとなる。
【００２９】
逆にＶＡモードを指示する第５の操作ボタン２４ｅが押されたときには、第３の制御信号Ｓｃ３はＭとなり、検出信号Ｓｄが出力されないときには第４の制御信号Ｓｃ４はＬとなり、マイクロフォン５ａからの音が途切れて検出信号Ｓｄが出力されたときには第４の制御信号Ｓｃ４はＨとなる。これによって、第３のスイッチ２２の接片は、マイクロフォン５ａから音が拾われているとき、即ち検出信号Ｓｄが出力されていないときには、ｋ端子およびｍ端子に接続されて伴奏信号Ｓｖｃが左出力端子１３と右出力端子１４から出力されることとなり、逆にマイクロフォン５ａの音が途切れたとき、即ち検出信号Ｓｄが出力されいるときには、ｊ端子およびｌ端子に接続されて左信号Ｓｌおよび右信号Ｓｒが左出力端子１３と右出力端子１４から出力されることとなる。
【００３０】
また、音多モードが使用者によって選択されて、第３の操作ボタン２４ｃが押された場合について、次に説明する。このとき、第１の制御信号Ｓｃ１はＭとなり、第１のスイッチ２０の接点は、ｂ端子とｅ端子に接続され、その出力信号Ｓｌ１およびＳｒ１はともに伴奏と模範歌唱の入った右信号Ｓｒとなる。一方、第２の制御信号Ｓｃ２もＭとなり、第２のスイッチ２１の接片はｈ端子に接続される。これによって、第２のスイッチ２１の出力信号Ｓｏは、伴奏のみの左信号Ｓｌとなる。
【００３１】
このとき、第３の制御信号Ｓｃ３はＬであり、制御回路２３の出力する第４の制御信号Ｓｃ４はＬとなる。これによって第３のスイッチ２２は、ｋ端子およびｍ端子に接続され、左出力端子１３および右出力端子１４に送られる信号は左信号Ｓｌ、すなわち伴奏のみとなる。
【００３２】
ＶＡモードを指示する第５の操作ボタン２４ｅが押されたときには、先と同様に第３の制御信号Ｓｃ３はＭとなり、検出信号Ｓｄが出力されないときには第４の制御信号Ｓｃ４はＬとなり、マイクロフォン５ａからの音が途切れて検出信号Ｓｄが出力されたときには第４の制御信号Ｓｃ４はＨとなる。これによって、第３のスイッチ２２の接片は、マイクロフォン５ａから音が拾われているときにはｋ端子およびｍ端子に接続されて伴奏のみが入った信号Ｓｌが左出力端子１３と右出力端子１４から出力されることとなり、逆にマイクロフォン５ａの音が途切れたときにはｊ端子およびｌ端子に接続されて伴奏と模範歌唱の入った右信号Ｓｒが左出力端子１３と右出力端子１４から出力されることとなる。
【００３３】
さらにまた、逆音多を楽しむモード（以下、「逆音多モード」と呼ぶ）が使用者によって選択されて、第４の操作ボタン２４ｄが押された場合について、次に説明する。このとき、第１の制御信号Ｓｃ１はＬとなり、第１のスイッチ２０の接点は、ｃ端子とｆ端子に接続され、その出力信号Ｓｌ１およびＳｒ１はともに伴奏と模範歌唱の入った左信号Ｓｌとなる。一方、第２の制御信号Ｓｃ２もＬとなり、第２のスイッチ２１の接片はｉ端子に接続される。これによって、第２のスイッチ２１の出力信号Ｓｏは、伴奏のみの右信号Ｓｒとなる。
【００３４】
このとき、第３の制御信号Ｓｃ３はＬであり、制御回路２３の出力する第４の制御信号Ｓｃ４はＬとなる。これによって第３のスイッチ２２は、ｋ端子およびｍ端子に接続され、左出力端子１３および右出力端子１４に送られる音声信号は左信号Ｓｒ、すなわち伴奏のみとなる。
【００３５】
ＶＡモードを指示する第５の操作ボタン２４ｅが押されたときには、先と同様に第３の制御信号Ｓｃ３はＭとなり、検出信号Ｓｄが出力されないときには第４の制御信号Ｓｃ４はＬとなり、マイクロフォン５ａからの音が途切れて検出信号Ｓｄが出力されたときには第４の制御信号Ｓｃ４はＨとなる。これによって、第３のスイッチ２２の接片は、マイクロフォン５ａから音が拾われているときにはｋ端子およびｍ端子に接続されて伴奏のみが入った右信号Ｓｒが左出力端子１３と右出力端子１４から出力されることとなり、逆にマイクロフォン５ａの音が途切れたときにはｊ端子およびｌ端子に接続されて伴奏と模範歌唱の入った左信号Ｓｌが左出力端子１３と右出力端子１４から出力されることとなる。
【００３６】
なお、本実施例では、３値論理を用いて各スイッチを制御したが、２本の信号線を用いて２ビットの論理制御を行っても良い。その他、本実施例は種々変形実施可能である。
【００３７】
【発明の効果】
以上の実施例のように本発明のオーディオ装置は、伴奏の入った音声信号を音源の種類に応じて使用者に選択させる第２の選択手段と、これと連動して伴奏および模範歌唱の入った音楽信号を選択する第１の選択手段とを設け、ＶＡモードを使用者が選んだときには自動的にこれら第２の選択手段の出力と第１の選択手段の出力を切り換える第３の選択手段を設けたことにより、市場に存在する全てのカラオケ音源に対応し、かつ使用者に余分な手間をかけさせない、使い勝手の良いものとすることができる。
【図面の簡単な説明】
【図１】本発明の一実施例におけるオーディオ装置の主要部のブロック略図である。
【図２】本発明の従来例におけるオーディオ装置の主要部のブロック略図である。
【符号の説明】
１    左入力端子
２    右入力端子
３    左増幅回路
４    右増幅回路
５    マイク入力端子
６    検出回路
９    歌唱消去回路
１１  左バッファ
１２  右バッファ
１３  左出力端子
１４  右出力端子
１５  順序回路
２０  第１のスイッチ
２１  第２のスイッチ
２２  第３のスイッチ
２３  制御回路
２４  マイコン
【図１】
0003568584.tif 000002
【図２】
0003568584.tif 000003